(57)【要約】【課題】カードの収容部を増やしても嵩張らず、カードの抜き差しが容易に行えるだけでなく、仮に開放したとしても、収容したカードが落下しにくい構造を提供する。【解決手段】カード１１の表裏面にそれぞれ面接触可能なシート状のガイド部１５と、ガイド部１５の両端部を接続する接続部１６とからなり、ガイド８部の厚み方向に並設される複数のカード収容部３を備える。接続部１６の一方を、折り畳み可能で、開口端から切欠部を形成されるカード挿入側接続部１６ａとする。接続部１６の残る他方を、隣接するガイド部１５同士を直接接続するカード保持側接続部１６ｂとする。カード挿入側接続部１６ａは、カード収容部３の両端部で同数又はほぼ同数設ける。【選択図】図１
2009232974.tif 000002
【特許請求の範囲】
【請求項１】
カードの表裏面にそれぞれ面接触可能なシート状のガイド部と、該ガイド部の両端部を接続する接続部とからなり、前記ガイド部の厚み方向に並設される複数のカード収容部を備え、
前記接続部の一方を、折り畳み可能で、開口端から切欠部を形成されるカード挿入側接続部とし、
前記接続部の残る他方を、隣接するガイド部同士を直接接続するカード保持側接続部とし、
前記カード挿入側接続部は、前記カード収容部の両端部で同数又はほぼ同数設けたことを特徴とするカードケース。
【請求項２】
前記カード挿入側接続部と、前記カード保持側接続部とは、隣接するカード収容部で交互に設けたことを特徴とする請求項１に記載のカードケース。
【請求項３】
前記カード挿入側接続部は、切欠部が略Ｖ字形に形成され、該切欠部の最も深い位置で２つ折りにされ、形成された一方の面を隣接するガイド部に貼着したことを特徴とする請求項１又は２に記載のカードケース。
【請求項４】
カードの表裏面にそれぞれ面接触可能なシート状のガイド部と、該ガイド部の両端部を接続する接続部とからなる複数のカード収容部を備え、
前記カード収容部は、
前記ガイド部の両端部の接続部が共に切欠部を形成された第１収容部と、
前記接続部の一方が、折り畳み可能で、開口端から切欠部を形成されるカード挿入側接続部であり、前記接続部の残る他方が、隣接するガイド部同士を直接接続するカード保持側接続部である第２収容部とからなり、
前記第２収容部は、少なくとも、前記第１収容部の一方の端に並設したことを特徴とするカードケース。
【請求項５】
前記カード収容部の一方の端に一体化される内面部と、該内面部に連続し、折り曲げられることにより他方の端に一体化される外面部と、前記内面部に折り重ねられるカバー部とからなるケース本体を、さらに備えたことを特徴とする請求項４に記載のカードケース。
【請求項６】
帯状シートの一方の側縁部に所定ピッチで切欠部を形成し、
前記帯状シートを、ジグザグ状に折り曲げることにより、カードの表裏面にそれぞれ面接触可能なシート状のガイド部を形成し、
前記ガイド部の一端部にカード保持側接続部を形成する一方、他端部に折り畳まれて前記切欠部が位置するカード挿入側接続部を形成し、前記カード保持側接続部と前記カード挿入側接続部とを交互に位置させ、
前記カード挿入側接続部を隣接するガイド部に貼着することを特徴とするカードケースの製造方法。
【発明の詳細な説明】
【技術分野】
【０００１】
本発明は、カードケース及びその製造方法に関するものである。
【背景技術】
【０００２】
従来、カードケースとして、例えば、留め具を備えた外包材の内部に複数のカード収納襞を設けたものが公知である（例えば、特許文献１参照）。このカードケースでは、カード収納襞の襞部材の屈曲部を接合することにより、カードを収容するための六角形状のカード収納室が形成され、その幅が外包材の開閉によって変化するようになっている。
【０００３】
【特許文献１】特開２００５−２６９５９１号公報
【発明の開示】
【発明が解決しようとする課題】
【０００４】
しかしながら、前記従来のカードケースでは、全てのカード収容室の幅を広げた状態でカードの抜き差しが行われる構造となっている。このため、カード収容室の数を増やそうとすれば、外包材の開放寸法が大きくなってしまう。そして、開口方向が下方に向かうものがあれば、カード収容室の幅が広がることにより、収容したカードが支持を失って落下してしまう恐れがある。しかも、カードの抜き差しは、カード収容室の開口方向に行われる。このため、カードが落下しにくくなるように幅方向の開き寸法を抑えると、カードの抜き差しをスムーズに行うことが困難となる。
【０００５】
そこで、本発明は、カードの収容部を増やしても嵩張らず、カードの抜き差しが容易に行えるだけでなく、仮に開放したとしても、収容したカードが落下しにくい構造を備えたカードケース及びその製造方法を提供することを課題とする。
【課題を解決するための手段】
【０００６】
本発明は、前記課題を解決するための手段として、
カードケースを、
カードの表裏面にそれぞれ面接触可能なシート状のガイド部と、該ガイド部の両端部を接続する接続部とからなり、前記ガイド部の厚み方向に並設される複数のカード収容部を備え、
前記接続部の一方を、折り畳み可能で、開口端から切欠部を形成されるカード挿入側接続部とし、
前記接続部の残る他方を、隣接するガイド部同士を直接接続するカード保持側接続部とし、
前記カード挿入側接続部は、前記カード収容部の両端部で同数又はほぼ同数に設けたものである。
【０００７】
なお、前記カード保持側接続部には、ガイド部同士を、直接、接着や溶着等によって貼着した部位のほか、シート状の部材を単に折り曲げただけの折り曲げ部位も含まれる。
【０００８】
この構成により、カード収容部の数を増やしたとしても、両端部にガイド部同士が重なっただけのカード保持側接続部が存在することになり、嵩張ることがない。また、カード収容部の開口を幅方向に広げれば、カード挿入側接続部に形成した切欠部を介してカード収容部にカードを簡単に抜き差しすることができる。しかも、カード収容部に収容したカードは、カード保持側接続部近傍のガイド部によって両面を支持されるので、カード収容部の開口を幅方向に広げた状態であっても、カードが脱落することはない。
【０００９】
前記カード挿入側接続部と、前記カード保持側接続部とは、隣接するカード収容部で交互に設けるのが好ましい。
【００１０】
この構成により、カード収容部を広げた際、両端部で均等に広がることになり、カードの抜き差しをスムーズに行うことが可能となる。
【００１１】
前記カード挿入側接続部は、切欠部が略Ｖ字形に形成され、該切欠部の最も深い位置で２つ折りにされ、形成された一方の面を隣接するガイド部に貼着すればよい。
【００１２】
また、本発明は、前記課題を解決するための手段として、
カードケースを、
カードの表裏面にそれぞれ面接触可能なシート状のガイド部と、該ガイド部の両端部を接続する接続部とからなる複数のカード収容部を備え、
前記カード収容部は、
前記ガイド部の両端部の接続部が共に切欠部を形成された第１収容部と、
前記接続部の一方が、折り畳み可能で、開口端から切欠部を形成されるカード挿入側接続部であり、前記接続部の残る他方が、隣接するガイド部同士を直接接続するカード保持側接続部である第２収容部とからなり、
前記第２収容部は、少なくとも、前記第１収容部の一方の端に並設した構成としたものである。
【００１３】
この構成により、カード収容部の開口を幅方向に広げる際、ガイド部の両端部に切欠部を形成された第１収容部が位置するので、広がり寸法を大きく取ることができる。したがって、第１収容部側を把持して広げれば、広がり寸法の抑えられた第２収容部を、把持した位置から離れた領域で広げることができ、カードの抜き差しを容易に行うことが可能となる。
【００１４】
前記カード収容部の一方の端に一体化される内面部と、該内面部に連続し、折り曲げられることにより他方の端に一体化される外面部と、前記内面部に折り重ねられるカバー部とからなるケース本体を、さらに備えるようにしてもよい。
【００１５】
また、本発明は、前記課題を解決するための手段として、
カードケースの製造方法を、
帯状シートの一方の側縁部に所定ピッチで切欠部を形成し、
前記帯状シートを、ジグザグ状に折り曲げることにより、カードの表裏面にそれぞれ面接触可能なシート状のガイド部を形成し、
前記ガイド部の一端部にカード保持側接続部を形成する一方、他端部に折り畳まれて前記切欠部が位置するカード挿入側接続部を形成し、前記カード保持側接続部と前記カード挿入側接続部とを交互に位置させ、
前記カード挿入側接続部を隣接するガイド部に貼着するようにしたものである。
【発明の効果】
【００１６】
本発明によれば、カード収容部の一端側にのみ、折り畳み可能で、切欠部を形成されたカード挿入側接続部を形成するようにしたので、このカード収容部を複数並設しても嵩張ることがない。しかも、カード挿入側接続部が広がり、切欠部を介してカードを抜き差しすることができるので、カード収容部へのカードの挿入あるいは取出を容易に行うことが可能である。その上、カード収容部の幅を広げたとしても、カード保持側接続部ではカードは両面をガイド部によって支持されることになるので、勝手に脱落することがなく、安心して使用することができる。
【発明を実施するための最良の形態】
【００１７】
以下、本発明に係る実施形態を添付図面に従って説明する。
【００１８】
図１は、本実施形態に係るカードケース１を示す。このカードケース１は、ケース本体２と、このケース本体２内に配置されるカード収容部３とで構成されている。
【００１９】
ケース本体２は、合成樹脂、不織布、皮革、合成皮革等の帯状材を２箇所（図１中、Ａ、Ｂで示す。）で折り曲げて折り重ねることができるようにしたものである。折り曲げることにより、内面部４と、外面部５と、カバー部６とが形成される。内面部４の外面と、カバー部６の内面とには、面状ファスナ７が設けられ、互いに係合することにより内面部４をカバー部６で覆って折り重ねた状態に維持できるようになっている。外面部５には、必ずしも必要ではないが、図２に示すように、ベルト通し８が形成されている。
【００２０】
カード収容部３は、ナイロン等の可撓性を有する細長いシート状の材料を折り畳んで、適宜、貼着することにより複数の袋状に形成したものである。このカード収容部３は、２箇所に設けた第１収容部９ａ、９ｂと、その内側に並設される複数の第２収容部１０とで構成されている。第１収容部９ａはケース本体２の内面部４に貼着一体化され、第１収容部９ｂはケース本体２の外面部５に貼着一体化されている。
【００２１】
第１収容部９ａ、９ｂは、図３（ａ）、詳しくは図３（ｂ）に示すように、収容するカード１１の表裏面にそれぞれ面接触可能な第１ガイド部１２と、これら第１ガイド部１２の両端を接続する第１接続部１３とで、一方に開口する袋状に形成されている。第１接続部１３は、内側に２つ折りにされ、第１ガイド部１２とで開口縁部を構成する縁部には、略Ｖ字状に切り欠かれた第１切欠部１４が形成されている。
【００２２】
第２収容部１０は、収容するカード１１の表裏面にそれぞれ面接触可能な第２ガイド部１５と、これら第２ガイド部１５の両端部を接続する第２接続部１６ａ，１６ｂとで袋状に形成されている。第２ガイド部１５の一端側の第２接続部（カード挿入側接続部）１６ａでは、図１に示すように、上縁中央部から略Ｖ字状の第２切欠部１７が形成され、内側に向かって２つ折りにされている。そして、折り曲げられた一方の縁部が隣接する第１収容部９（又は、第２収容部１０）に貼着（例えば、接着、溶着等）されている。そして、隣接する第１収容部９（又は第２収容部１０）とは、第１ガイド部１２（又は第２ガイド部１５）を共有するように構成されている。第２切欠部１７は、第２収容部１０にカード１１を挿入する際、挿入容易とするための導入部として機能する。一方、第２ガイド部１５の他端側の第２接続部（カード保持側接続部）１６ｂでは２つ折りでつながっただけの構成となっている。そして、カード挿入側接続部１６ａとカード保持側接続部１６ｂとは、第２収容部１０の両端部で、重なり方向に交互に形成されている。これにより、一端側でのみ肉厚が大きくなることがなく、幅方向に引っ張って開口させると、両側で均等に広がることになる。
【００２３】
前記構成のカードケース１は、次のようにして製造することができる。
【００２４】
ケース本体２は、帯状材を２箇所で折り曲げ、内面部４とカバー部６にそれぞれ面状ファスナ７を一体化（接着）することにより形成する。
【００２５】
カード収容部３では、まず、細長い帯状の樹脂製シート１８に、図５に示すように、一方の側縁部に長手方向に沿って所定ピッチで切欠部１８ａを形成する。そして、このシートを、図６に示すように、点線部分でジグザグ状に折り曲げる。すなわち、一端側で第１収容部９ｂとなる部位では、端部を折り曲げて第１糊代部１９を形成すると共に、第１切欠部１４を形成することにより、最も切り込まれた位置で内側に２つ折りにする。また、第２収容部１０となる部位では、カード挿入側接続部１６ａで内側に２つ折りにし、第２糊代部２０を形成する。なお、折り目となる部分には、切込みを入れることにより、折り曲げ容易としてもよい。
【００２６】
続いて、第１糊代部１９を第１ガイド部１２に貼着し、第２糊代部２０を前記第１糊代部１９の貼着位置とは反対側で貼着する。以下、順次、第２糊代部２０を貼着して第２収容部１０を形成する。第２収容部１０の数は、折り曲げ回数を変更するだけで、自由に設定することができる。そして、他端側で第１収容部９ａとなる部位の第１糊代部１９を貼着することによりカード収容部３を完成する。なお、第１接続部１３は、単に折り曲げるだけとしたが、強度を高めるために縁部を貼着するようにしてもよい（図６中、２点鎖線で示す。）。また、第１ガイド部１２の間、第１ガイド部１２と第２ガイド部１５の間、及び、第２ガイド部１５の間で、それらの下縁部を貼着することにより袋状とするのが好ましい。
【００２７】
このように、カード収容部３は、帯状の樹脂製シート１８を折り曲げて、適宜、必要箇所を貼着するだけで簡単に形成することができる。しかも、第２収容部１０の数は、折り曲げ回数を変更するだけで、簡単に設定することができる。
【００２８】
その後、前記ケース本体２にカード収容部３を取り付ける。この場合、ケース本体２の内面部４と外面部５を、並設されるカード収容部３の両端に位置する各第１収容部９ａ、９ｂの第１ガイド部１２にそれぞれ貼着することにより、カードケース１が完成する。
【００２９】
次に、前記構成からなるカードケース１の使用形態について説明する。
【００３０】
カード収容部３にカード１１を収容する場合、図１に示すように、面状ファスナ７による係合状態を解除して内面部４からカバー部６を開放し、カード収容部３を幅方向に広げる。内面部４と外面部５に隣接する部位には、第１収容部９ａ、９ｂの両端部に第１切欠部１４を形成された第１接続部１３が位置し、広がり寸法が大きくなる。したがって、その内側に位置する第２収容部１０をカード１１の出し入れの容易な場所とすることができる。
【００３１】
第２収容部１０にカード１１を収容する場合、一端側のカード挿入側接続部１６ａが折り畳まれた状態から広げられた状態となり、第２切欠部１７が開放されることになるので、図４に示すように、この第２切欠部１７を介してカード１１を挿入すればよい。カード１１は一端側から挿入されて、下縁部を第２切欠部１７にガイドされながら他端がカード挿入側接続部１６ａを超えることにより第２収容部１０内へと挿入可能となる。第２切欠部１７がカード１１をガイドする導入部として機能するので、カード１１の挿入作業を容易に行うことができる。
【００３２】
このようにして第２収容部１０内に収容されたカード１１は、図１中２点鎖線で示すように、両面に第２ガイド部１５が面接触する。そして、前述のように、カード収容部３を幅方向に広げたとしても、カード保持側接続部１６ｂでは、第２ガイド部１５による面接触状態が維持される。したがって、たとえ第２収容部１０の開放方向が下方側に向かったとしても、収容されたカード１１が脱落することがない。
【００３３】
また、第２収容部１０内のカード１１を取り出す場合、前記同様、カード収容部３を幅方向に広げる。これにより、カード挿入側接続部１６ａが広がり、第２切欠部１７を介して第２収容部１０内に収容したカード１１の角部が露出する。しかも、カード挿入側接続部１６ａの近傍では、カード１１の両面と第２ガイド部１５とは非接触状態となる。そこで、この露出したカード１１の角部を指で押しながら第２収容部１０の開口側へと移動させると、第２収容部１０からカード１１を簡単に離脱させることができる。この結果、カード１１の一部を把持して引っ張る等により簡単に第２収容部１０から取り出すことが可能となる。
【００３４】
なお、本発明に係るカードケース１は、前記実施形態に記載の構成に限定されるものではなく、種々の変更が可能である。
【００３５】
前記ケース本体２又は前記カード収容部３の少なくともいずれか一方は、防水性に優れた材料で形成したり、スキミング防止性に優れた材料で形成したりすることもできる。
【００３６】
また、前記第１収容部９ａ、９ｂは２箇所だけでなく、３箇所以上に設けてもよく、又、その設ける位置は自由である。そして、第１収容部９ａ、９ｂは、単にカード１１を収容するだけではなく、小銭やお札等、他の物を収容する目的で使用してもよい。
【００３７】
また、ケース本体２は、必ずしも必要なものではなく、カード収容部３のみで構成することも可能である。また、第１収容部９ａ、９ｂも必ずしも必要なものではなく、第２収容部１０のみで構成することも可能である。そして、このカード収容部３は、財布、システム手帳等の他の部材に一体化して使用することも可能である。
【００３８】
また、前記第２収容部１０のカード挿入側接続部１６ａは、第２切欠部１７を形成して、２つ折りにすることにより得られた一方の縁部の全体を隣接する第１収容部９ａ。９ｂ等に貼着するように構成したが、貼着部位は一部であってもよく、又、第１収容部９ａ、９ｂと同様な側縁のみを貼着するように構成することも可能である。要は、カード収容部３の幅を広げた際、片側でのみ広がるように構成できればよい。
【００３９】
また、前記第１切欠部１４や前記第２切欠部１７は、略Ｖ字形に限らず、略Ｕ字形等、他の形状とすることも可能である。また、広げた際の幅寸法は、指（主に人差し指）を配置可能なものとすると、カード１１の抜き差しをより一層容易に行うことが可能となる点で好ましい。
【００４０】
また、前記カード挿入側接続部１６ａには、収容するカード１１を識別するために、ラベル等を設けたり、色分けしたりするようにしてもよい。例えば、頻繁に使用するカード１１を最も抜き差ししやすい場所を特定するようにすれば、ユーザは見づらいカード１１の表面を確認することなく簡単にカード１１を取り出すことが可能となる。また、点字を設けて目の不自由な方でも利用できるようにすることも可能である。
【００４１】
また、前記カード挿入側接続部１６ａは、カード収容部３の両端部で交互に形成するようにしたが、複数箇所ずつ連続して形成するようにしてもよい。要は、開放した際、左右でバラツキが発生しないようにできればよい。また、複数のカード挿入側接続部１６ａを連続して設けることにより、使用頻度の高いカード１１をまとめておくことができ、より一層使い勝手が向上する。
【図面の簡単な説明】
【００４２】
【図１】本実施形態に係るカードケースの斜視図である。
【図２】図１のカードケースを背面側から見た状態を示す斜視図である。
【図３】（ａ）は図１のカード収容部の開口部分を示す平面図、（ｂ）は（ａ）の部分拡大図である。
【図４】図１のカード収容部にカードを挿入している状態を示す部分拡大斜視図である。
【図５】図１に示すカード収容部を形成するための樹脂製シートの一部を示す平面図である。
【図６】図５に示す樹脂製シートによりカード収容部を形成している途中の状態を示す斜視図である。
【符号の説明】
【００４３】
１…カードケース
２…ケース本体
３…カード収容部
４…内面部
５…外面部
６…カバー部
７…面状ファスナ
８…ベルト通し
９ａ、９ｂ…第１収容部
１０…第２収容部
１１…カード
１２…第１ガイド部
１３…第１接続部
１４…第１切欠部
１５…第２ガイド部
１６…第２接続部
１６ａ…カード挿入側接続部
１６ｂ…カード保持側接続部
１７…第２切欠部
１８…樹脂製シート
１９…第１糊代部
２０…第２糊代部
【図１】
2009232974.tif 000003
【図２】
2009232974.tif 000004
【図３】
2009232974.tif 000005
【図４】
2009232974.tif 000006
【図５】
2009232974.tif 000007
【図６】
2009232974.tif 000008